(57)【特許請求の範囲】
【請求項１】
被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって右眼にアライメントされた状態で顔面部の右境界を含み左眼にアライメントされた状態で顔面部の左境界を含む検出領域を持つ受光手段と、該受光手段による検出結果に基づいて顔面部の境界が左右いずれにあるかにより被検眼の左右判別を行う判別手段と、を有することを特徴とする眼科装置。
【請求項２】
請求項１の眼科装置において、前記投射手段によって投射される光は近赤外域の波長を持ち、前記受光手段は近赤外域の光を透過しそれ以外の波長の光を遮断する波長選択手段を備えることを特徴とする眼科装置。
【請求項３】
請求項１の眼科装置において、前記判別手段は前記光源を点灯したときの反射光と消灯したときの反射光の検出結果を比較する比較手段を備えることを特徴とする眼科装置。
【請求項４】
請求項１の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする眼科装置。
【請求項５】
請求項４の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする眼科装置。
【請求項６】
請求項１の眼科装置は、さらに受光量に対する所定の閾値を設定する閾値設定手段と、該閾値と検出された反射光の受光量とから被検者と装置との距離関係を検知する距離検知手段と、該距離検知手段による検知結果に基づいて検者に警告する警告手段と、を有することを特徴とする眼科装置。
【請求項７】
請求項１の眼科装置は、さらに受光量に対する所定の閾値を設定する閾値設定手段と、該閾値と検出された反射光の受光量とから被検者の顔面部の有無又は被検者と装置との距離関係を検知する検知手段と、該検知手段による検知結果に基づいて動作モ−ドを制御する制御手段と、を有することを特徴とする眼科装置。
【請求項８】
被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって該位置検出素子上の反射光受光部分と非受光部分との位置関係を検出する受光手段と、該受光手段による検出結果に基づいて被検眼の左右判別を行う判別手段と、を有することを特徴とする眼科装置。
【請求項９】
請求項８の眼科装置において、前記投射手段によって投射される光は近赤外域の波長を持ち、前記受光手段は近赤外域の光を透過しそれ以外の波長の光を遮断する波長選択手段を備えることを特徴とする眼科装置。
【請求項１０】
請求項８の眼科装置において、前記位置検出素子はＰＳＤであり、前記判別手段は該ＰＳＤによる検出結果に基づいて前記光源からの光による反射光の重心位置を求めることにより被検眼の左右判別を行うことを特徴とする眼科装置。
【請求項１１】
請求項１０の眼科装置は、さらに被検眼と前記測定系とのアライメントが完了したときの反射光の平均的重心位置を記憶する位置記憶手段と、該位置記憶手段に記憶された重心位置の座標と前記ＰＳＤが検出した反射光の重心位置の座標とに基づいて被検眼と前記測定系とのアライメントずれを求める演算手段と、求められたアライメントずれを表示する表示手段と、を有することを特徴とする眼科装置。
【請求項１２】
請求項８の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする眼科装置。
【請求項１３】
請求項１２の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする眼科装置。
【請求項１４】
請求項８の眼科装置は、さらに受光量に対する所定の閾値を設定する閾値設定手段と、該閾値と検出された反射光の受光量から被検者と装置との距離関係を検知する距離検知手段と、該距離検知手段の検知結果に基づいて検者に警告する警告手段と、を有することを特徴とする眼科装置。
【請求項１５】
請求項８の眼科装置は、さらに受光量に対する所定の閾値を設定する閾値設定手段と、該閾値と検出された反射光の受光量から被検者の顔面部の有無又は被検者と装置との距離関係を検知する検知手段と、該検知手段による検知結果に基づいて動作モ−ドを制御する制御手段と、を有することを特徴とする眼科装置。
【発明の詳細な説明】
【０００１】
【発明の属する技術分野】
本発明は、被検眼の検査・測定を行う他覚式眼屈折力測定装置、角膜形状測定装置等の眼科装置に関する。
【０００２】
【従来の技術】
他覚式眼屈折力測定装置等の眼科装置としては、据え置き型のものが一般的に知られている。このような据え置き型の装置は、検査測定部を固定基台に対して相対移動できるように構成されている。検査測定を行う際は、検者はジョイスティック等の操作により被検眼に対して検査測定部を移動し、片眼ずつアライメントして検査測定を行う。したがって、このような据え置き型の装置では、固定基台の中央に対して検査測定部が左右どちらに移動したかを検出することにより、被検眼の左右の判別を自動的に行うことができる。
【０００３】
また一方、上記のような据え置き型の眼科装置は、乳幼児や寝ている状態の患者、動物等を検眼することは困難であり、持ち運びにも不都合であるため、手持ち型の眼科装置も提案されている。手持ち型の眼科装置では、据え置き型の眼科装置のように検査測定部の移動によって被検眼の左右の判別をすることができないため、検者が被検眼の左右どちらを検査測定しているかスイッチ等により入力する方法などを採用している。
【０００４】
【発明が解決しようとする課題】
しかしながら、被検眼の左右の判別をスイッチ等により入力する方法は、操作が煩雑となり、検者が入力することを忘れてしまうため、測定ミスとなることがあり不都合であった。
【０００５】
本発明は上記従来技術の欠点に鑑み、検査測定部が移動しなくても、被検眼の左右の判別を検者が入力する必要がない眼科装置を提供することを技術課題とする。
【０００６】
また、簡単に操作できる手持ち型の眼科装置を提供することを技術課題とする。
【０００７】
【課題を解決するための手段】
上記課題を解決するために、本発明は次のような構成を有することを特徴とする。
【０００８】
（１）  被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって右眼にアライメントされた状態で顔面部の右境界を含み左眼にアライメントされた状態で顔面部の左境界を含む検出領域を持つ受光手段と、該受光手段による検出結果に基づいて顔面部の境界が左右いずれにあるかにより被検眼の左右判別を行う判別手段と、を有することを特徴とする。
（２）  （１）の眼科装置において、前記投射手段によって投射される光は近赤外域の波長を持ち、前記受光手段は近赤外域の光を透過しそれ以外の波長の光を遮断する波長選択手段を備えることを特徴とする。
（３）  （１）の眼科装置において、前記判別手段は前記光源を点灯したときの反射光と消灯したときの反射光の検出結果を比較する比較手段を備えることを特徴とする。
（４）  （１）の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする。
（５）  （４）の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする。
（６）  （１）の眼科装置は、さらに受光量に対する所定の閾値を設定する閾値設定手段と、該閾値と検出された反射光の受光量とから被検者と装置との距離関係を検知する距離検知手段と、該距離検知手段による検知結果に基づいて検者に警告する警告手段と、を有することを特徴とする。
（７）  （１）の眼科装置は、さらに受光量に対する所定の閾値を設定する閾値設定手段と、該閾値と検出された反射光の受光量とから被検者の顔面部の有無又は被検者と装置との距離関係を検知する検知手段と、該検知手段による検知結果に基づいて動作モ−ドを制御する制御手段と、を有することを特徴とする。
（８）  被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって該位置検出素子上の反射光受光部分と非受光部分との位置関係を検出する受光手段と、該受光手段による検出結果に基づいて被検眼の左右判別を行う判別手段と、を有することを特徴とする。
（９）  （８）の眼科装置において、前記投射手段によって投射される光は近赤外域の波長を持ち、前記受光手段は近赤外域の光を透過しそれ以外の波長の光を遮断する波長選択手段を備えることを特徴とする。
（１０）  （８）の眼科装置において、前記位置検出素子はＰＳＤであり、前記判別手段は該ＰＳＤによる検出結果に基づいて前記光源からの光による反射光の重心位置を求めることにより被検眼の左右判別を行うことを特徴とする。
（１１）  （１０）の眼科装置は、さらに被検眼と前記測定系とのアライメントが完了したときの反射光の平均的重心位置を記憶する位置記憶手段と、該位置記憶手段に記憶された重心位置の座標と前記ＰＳＤが検出した反射光の重心位置の座標とに基づいて被検眼と前記測定系とのアライメントずれを求める演算手段と、求められたアライメントずれを表示する表示手段と、を有することを特徴とする。
（１２）  （８）の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする。
（１３）  （１２）の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする。
（１４）  （８）の眼科装置は、さらに受光量に対する所定の閾値を設定する閾値設定手段と、該閾値と検出された反射光の受光量から被検者と装置との距離関係を検知する距離検知手段と、該距離検知手段の検知結果に基づいて検者に警告する警告手段と、を有することを特徴とする。
（１５）  （８）の眼科装置は、さらに受光量に対する所定の閾値を設定する閾値設定手段と、該閾値と検出された反射光の受光量から被検者の顔面部の有無又は被検者と装置との距離関係を検知する検知手段と、該検知手段による検知結果に基づいて動作モ−ドを制御する制御手段と、を有することを特徴とする。
【００３３】
【実施例】
以下、本発明の一実施例を図面に基づいて説明する。この実施例の装置は他覚式眼屈折力測定装置である。
【００３４】
図１は実施例の装置の一部光学系を横方向から見たときの概略配置を示す図である。光学系は、アライメント指標投影光学系、距離指標投影光学系、指標検出・観察光学系、レチクル投影光学系、固視標投影光学系、眼屈折力測定光学系、左右眼判別指標投影光学系、及び左右眼判別指標検出光学系に大別される。なお、図１では図示の都合上、左右眼判別指標投影光学系は省略している。
【００３５】
ここで、Ｅは被検眼である。Ｌ1 は後述する測定光学系の測定光軸である。７０は被検眼Ｅの前眼部を照明するための光源である。
【００３６】
（アライメント指標投影光学系）
１はアライメント指標投影光学系である。アライメント用光源２を発した光は、コリメータレンズ３により略平行光束とされ、さらに、その投射軸をビームスプリッタ４による反射によって測定光軸Ｌ1 と同軸とされて、正面から被検眼Ｅに投影される。
【００３７】
（距離指標投影光学系）
１０ａ，１０ｂは被検眼Ｅと装置との作動距離を検出するための指標を投影する距離指標投影光学系である。距離指標投影光学系１０ａは、光源１１ａ、スポット絞り１２ａ、及び光源１１ａからの光を略平行光束とするためのコリメータレンズ１３によって構成され、被検眼Ｅに光学的に無限遠方からスポット絞り指標を投影する。一方、距離指標投影光学系１０ｂは、光源１１ｂ及びスポット絞り１２ｂによって構成され，被検眼Ｅに光学的に有限な距離からスポット絞り指標を投影する。距離指標投影光学系１０ａ，１０ｂは、測定光軸Ｌ1 に対してその投射軸が同一角度で交差するように配置されている。（図１では図示の都合上、被検眼Ｅの上下方向から投射しているが、距離指標投影光学系１０ａ，１０ｂは、まぶた及びまつげによる光束の欠られを防ぐため、水平方向に配置することが好ましい。）
【００３８】
被検眼Ｅと装置との作動距離の検出は、精密な作動距離方向のアライメントを行う際に必要となる。しかし、本発明においては関連が少ないため、作動距離の検出方法についての説明は省略する。詳しくは、特開平６−４６９９９号「アライメント検出装置」を参照されたい。
【００３９】
（指標検出・観察光学系）
２０は指標検出・観察光学系である。光源７０による前眼部像、アライメント指標投影光学系１による角膜反射像、及び距離視標投影光学系１０ａ，１０ｂによる角膜反射像は、ダイクロイックミラー２１，２２によって反射され、結像レンズ２３によって観察用カメラ２４の撮像素子上に結像する。観察用カメラ２４は本実施例では近赤外用ＣＣＤカメラを用いている。観察用カメラ２４によって撮像された前眼部像及び角膜反射像は、テレビモニタ２５によって表示される。
【００４０】
（レチクル投影光学系）
３０はレチクル投影光学系である。レチクル板３２を通過した光源３１からの光は、投影レンズ３３を通過し、ビームスプリッタ３４により反射され、結像レンズ２３によって観察用カメラ２４の撮像素子上に結像する。レチクル板３２には、図２に示すようにレチクルマークが形成されており、観察用カメラ２４によって撮像されたレチクルマーク像は、テレビモニタ２５によって表示される。レチクルマークには、円環状のマーク３２ａと、測定系の乱視軸が０度方向を示すラインマーク３２ｂとがある。ラインマーク３２ｂは無くてもよく、また、逆に９０度方向のラインマークをさらに設けてもよい。
【００４１】
（固視標投影光学系）
４０は固視標投影光学系である。固視標投影光学系４０は前述したダイクロイックミラー２２によって指標検出・観察光学系２０と同軸とされている。光源４１は固視標４２を照明し、固視標４２からの光束は投影レンズ４３及びダイクロイックミラー２２を通過する。その後、ダイクロイックミラー２１で反射して被検眼Ｅに向かい、被検眼Ｅは固視標４２を固視する。なお、投影レンズ４３は光軸方向に移動することによって被検眼Ｅの雲霧を行う。
【００４２】
（眼屈折力測定光学系）
１００は眼屈折力測定光学系である。眼屈折力測定光学系１００は、スリット投影光学系とスリット像検出光学系とから構成される。
【００４３】
１１０はスリット投影光学系である。スリット照明用光源１１１からの光は、モータ１１３によって一定の速度で一定方向に回転する円筒状の回転セクター１１２に設けられたスリット開口１１２ａまたは１１２ｂを照明する。回転セクター１１２の側面には、図３にその展開図を示すように、２種類の異なる傾斜角度のスリット開口１１２ａ，１１２ｂがそれぞれ複数個設けられている。スリット開口１１２ａは、回転セクター１１２の回転方向に対して４５度の傾斜角度を持つように設けられている。また、スリット開口１１２ｂは、スリット開口１１２ａに直交するように回転方向に対して１３５度の傾斜角度を持つように設けられている。回転セクター１１２の回転により走査されたスリット光束は、光源１１１と被検眼Ｅの角膜近傍とを共役とする位置に配置された投影レンズ１１４を通過する。その後、制限絞り１１５によって制限され、ビームスプリッタ１１６による反射によってアライメント指標投影光学系１と同軸とされて被検眼Ｅに向かい、被検眼Ｅの角膜近傍で集光した後、眼底に投影される。なお、回転セクター１１２は、異なる傾斜角度のスリット開口を持つため、いずれの角度のスリット光束が投影されているかを図示なきセンサで検出するようになっている。
【００４４】
１２０はスリット像検出光学系であり、その測定光軸Ｌ1 上に受光レンズ１２１、絞り１２２及び受光部１２３を備える。絞り１２２は受光レンズ１２１の後ろ側焦点位置に配置され、受光部１２３は受光レンズ１２１に関して被検眼Ｅの角膜と略共役な位置に配置される。受光部１２３はその受光面に、図４に示すように、４個の受光素子１２４ａ〜１２４ｄを有している。受光素子１２４ａ，１２４ｂは測定光軸Ｌ1 を中心にして対称に設けられ、同じく受光素子１２４ｃ，１２４ｄは測定光軸Ｌ1 を中心にして対称に設けられている。この２対の受光素子は、２種類の傾斜角度を持つスリット開口１１２ａ，１１２ｂにより投影される被検眼Ｅの眼底上でのスリット光束の走査方向（眼底上でのスリット光束は、あたかもスリットの長手方向に直交する方向に走査されるようになる）にそれぞれ対応させて配置され、眼底で反射されたスリット光束を検出する。実施例の装置では、乱視を持たない遠視または近視の被検眼Ｅの眼底上で、スリット開口１１２ａによるスリット光束が走査されたとき、受光部１２３上で受光されるスリットの長手方向に直交する方向に対応するように、一対の受光素子１２４ａ，１２４ｂを配置している。また同じように、スリット開口１１２ｂによるスリット光束が走査されたとき、受光部１２３上で受光されるスリットの長手方向に直交する方向に対応するように、一対の受光素子１２４ｃ，１２４ｄを配置している。
【００４５】
ある第１の方向のスリット光束が被検眼Ｅに投影されたとき、そのスリット光束の長手方向に直交する方向に対応して受光素子１２４ａ，１２４ｂが配置され、このときの受光素子１２４ｃ，１２４ｄの位相差信号出力に基づいて被検眼Ｅの角膜中心または視軸中心を検出する。検出した角膜中心または視軸中心と、前記第１の方向に対応して配置された受光素子１２４ａ，１２４ｂのそれぞれの出力信号に基づいて、各々の受光素子位置に対応する角膜部位で屈折力を求める。これにより、角膜中心または視軸中心に対する経線方向の屈折力が求まり、不正乱視の有無を検知する。なお、眼屈折力測定については、詳しくは、特願平８−２８３２８０号「眼屈折力測定装置」を参照されたい。
【００４６】
（左右眼判別指標検出光学系）
５０は左右眼判別指標検出光学系である。後述する左右眼判別指標投影光学系によって投射された光による被検者の顔面部からの反射光は、広角の結像レンズ５１によって位置検出素子５３上に結像される。その際、可視光等を遮断し近赤外光を透過させるフィルタ５２を介することによって、太陽光や部屋の照明光等の余分な外乱光を除去することができる。なお、位置検出素子５３は、本実施例ではＰＳＤを用いている。ＰＳＤは検出速度が速く、高速で点滅する光の明暗を検出することができる。さらに、ＰＳＤで検出した光成分をコンデンサによって直流成分をカットしてやれば、点滅する光源の光成分のみを抽出することができる。つまり、後述する左右眼判別指標投影光学系の光源を高速で点滅させることによって、フィルタ５２を通過してしまった太陽光等の近赤外域の光成分を除去し、左右眼判別指標投影光学系の光源による反射光の光成分のみを抽出することができる。なお、結像レンズ５１、フィルタ５２、及び位置検出素子５３は、測定光軸Ｌ1 に対して垂直な下方向に配置されている。
【００４７】
図５は実施例の装置の一部光学系を上方向から見たときの概略配置を示す図である。なお、図５では図示の都合上、左右眼判別指標検出光学系及び左右眼判別指標投影光学系のみを示しており、他の光学系については省略している。
【００４８】
（左右眼判別指標投影光学系）
６０は左右眼判別指標投影光学系である。被検者の顔面部に光を投射するための光源６１ａは、検者側から見て装置右側に、光源６１ｂは検者側から見て装置左側に、測定光軸Ｌ1 に対して対称に配置されている。また、光源６１ａ，６１ｂは、被検眼Ｅに装置を位置合わせしたときに、被検者の顔面部のある程度広い範囲を照明できるように配置されている。またさらに、光源６１ａ，６１ｂは、図示なき制御部によって高速で点滅するようになっている（点滅は１回でもよいし複数回でもよい）。
【００４９】
なお、光源２、１１ａ，１１ｂ、３１、６１ａ，６１ｂ、７０及び１１１には、すべて近赤外域の光を発するＬＥＤを用いており、被検眼Ｅに負担をかけることなく光を投射することができる。なお、ダイクロイックミラー２２とビームスプリッタ３４の間に、近赤外域の光を透過し可視光等を遮断するフィルタを配置すれば、観察用カメラ２４は近赤外用でなくてもよく、また、レチクル投影光学系３０の光源３１は可視光を発する通常の光源でもよい。
【００５０】
以上のような実施例の装置において、その動作について説明する。
【００５１】
まず、装置を被検眼Ｅの前に移動し、図示なきスイッチ等により、前眼部照明用光源７０、アライメント用光源２及び光源３１を発光させる。光源７０による前眼部像と、アライメント指標投影光学系１により被検眼Ｅに形成された角膜反射像と、レチクル投影光学系３０によるレチクルマーク像とは、観察用カメラ２４によって撮像され、テレビモニタ２５（液晶ディスプレイ）に表示される。検者はテレビモニタ２５上の角膜反射像及びレチクルマーク像を見ながら、レチクルマーク３２ａの中心に光源２の角膜反射像が位置するようにさらに装置を移動させ、上下左右方向のアライメントを行う。また、ラインマーク３２ｂを設けている場合は、テレビモニタ２５を見ながらラインマーク３２ｂの像が水平になるように、装置の傾きを調整する。さらに、被検眼Ｅの角膜反射像にピントを合わせることによって、作動距離をラフに判断する。
【００５２】
制御部は、画像処理解析技術を用いて検出された角膜反射像が所期する領域内に位置し、被検眼Ｅに上下左右方向のアライメント及び作動距離のラフなアライメントができたことを確認すると、光源６１ａ，６１ｂを高速で点滅発光させる（点滅は１回でもよいし複数回でもよい。また、ラフなアライメントの終了後のみだけでなく、ある時間ごとに光源６１ａ，６１ｂを発光させてもよい）。光源６１ａ，６１ｂから投射された光は、被検者の顔面部を照明し、その反射光の一部は、結像レンズ５１及びフィルタ５２を通過し、位置検出素子５３に受光される（図６参照）。
【００５３】
ここで、ＰＳＤは受光面に入射した光の重心位置によって両端から出力される電流の比が決まるので、この両端からの電流量をそれぞれ検出して比を求めれば受光された反射光の重心位置がわかる。そして、重心位置とＰＳＤ（位置検出素子５３）の中心とを比較し、重心位置が中心よりもＡ側寄りであれば被検眼Ｅは左眼、重心位置が中心よりもＢ側寄りであれば被検眼Ｅは右眼と判別できる。図６の場合、被検眼Ｅは右眼であると判別される。
【００５４】
また、位置検出素子５３については、ＰＳＤの代わりに一次元ＣＣＤを用いてもよい。図６に示すように、光源６１ａ，６１ｂから投射された光が被検者の顔面部を照明すると、顔面部からの反射光の一部は、結像レンズ５１及びフィルタ５２によって位置検出素子５３上に結像する。図６の場合（被検眼が右眼の場合）、位置検出素子５３に受光される反射光の受光量と受光位置との関係は、図７のようになる。グラフＭは光源６１ａ，６１ｂが点灯したときの反射光の受光量及び受光位置であり、グラフＮは光源６１ａ，６１ｂが消灯したときの反射光の受光量及び受光位置である。従って、ＭからＮを引くことによって光源６１ａ，６１ｂによる反射光の成分グラフＲのみを抽出することができる。一次元ＣＣＤの場合、図８に示すように、位置検出素子５３（一次元ＣＣＤ）に受光された反射光の受光量に閾値処理することによって（閾値αは予め所定の値を設定し記憶させておいてもよいし、受光量のピーク値の１／２等としてもよい）、２点ｔ１とｔ２の中心位置Ｐを求めることができる。中心位置Ｐが求められれば、ＰＳＤの場合と同じように、位置検出素子５３（一次元ＣＣＤ）の中心Ｑに対して中心位置ＰがＡ側寄りであるかＢ側寄りであるかを検出することによって、被検眼Ｅの左右の判別をすることができる。なお、必ずしも受光された反射光の中心位置を求めることは必要ではなく、受光された反射光の光量バランスが得られる指標であればよい。光量バランスは、閾値処理によって得られる反射光の立上りや立下りの位置から求めることができ、これによって被検眼Ｅの左右の判別をすることができる。図９は図８の受光量を閾値αにて処理したものである。この場合、立下り位置ｔ２がＢの位置にある（立上り位置ｔ１のみがＡ−Ｂ間にある）ため、被検眼Ｅは右眼であると判別される。また、反射光の受光量を閾値処理したものが図１０のようになった場合は、立上り位置ｔ３がＡの位置にある（立下り位置ｔ４のみがＡ−Ｂ間にある）ため、被検眼Ｅは左眼であると判別される。立上り位置と立下り位置の両方がＡ−Ｂ間にある場合は、立上り位置と立下り位置の中心位置から左右の判別をすることができる。
【００５５】
さらに、位置検出素子５３を二次元ＣＣＤとすれば、反射光の受光エリアが広がり、複数の水平方向ラインの検出ができるため、より正確に被検眼Ｅの左右判別をすることができる。
【００５６】
また、検出した画像をデジタイズし、画像メモリに記憶し、画像解析することによって、受光量の重心位置を求めることもできる。
【００５７】
位置検出素子５３が二次元ＣＣＤの場合、図１１に示すように、測定光軸Ｌ1 と被検眼Ｅとが正しくアライメントされたときの受光量の重心（中心）位置Ｐ0 の座標（Ｘ0 ，Ｙ0 ）を予め記憶させておけば、検出した反射光の受光量の重心（中心）位置Ｐ1 の座標（Ｘ1 ，Ｙ1 ）と座標（Ｘ0 ，Ｙ0 ）のずれ量及びずれ方向から、大まかにアライメントずれを検出することができる。そして、検出したずれ量及びずれ方向に基づいて、テレビモニタ２５上に矢印等で告知することによって、検者はアライメントを行うことができる。位置検出素子５３が一次元ＣＣＤ又はＰＳＤの場合は、一方向（Ｘ方向）のみアライメントずれを検出することができる。
【００５８】
位置検出素子５３の反射光の受光量に対して閾値処理をすることによって、さらなる情報を得ることもできる。
【００５９】
図１２ａに示すように、位置検出素子５３の受光量に対しある閾値βを設定し、被検者と装置との距離が必要以上に近付かないように検者に警告させることができる。被検者の顔面部からの反射光の位置検出素子５３による受光量がグラフＣにように必要以上に大きい場合、つまり所定の閾値βを超えた場合は、音声またはテレビモニタ２５に表示させるなどして、被検者と装置との距離が所定の閾値β内になるまで警告させる。
【００６０】
また、図１２ｂに示すように、位置検出素子５３の受光量に対しある閾値γを設定し、被検者と装置との距離が必要以上に遠ざからないように検者に警告させることもできる。被検者の顔面部からの反射光の位置検出素子５３による受光量がグラフＤにように必要以上に小さい場合、つまり所定の閾値γ内にある場合は、音声またはテレビモニタ２５に表示するなどして、被検者と装置との距離が所定の閾値γを超えるまで警告させる。
【００６１】
装置が被検眼に対して自動的に動いて位置合わせするような場合には、これらの情報を基に動作を止めたり動かしたりすることができる。
【発明の効果】
以上説明したように、本発明によれば、検査測定部が移動しない装置でも、被検眼の左右判別を検者が入力する必要がなく、特に手持ち型の眼科装置として好適に利用することができる。
【図面の簡単な説明】
【図１】実施例の装置の一部光学系を横方向から見たときの概略配置を示す図である。
【図２】レチクル板に設けられているレチクルマークを説明する図である。
【図３】回転セクターの側面に設けられているスリット開口の展開図である。
【図４】受光部が有する４個の受光素子の配置を説明する図である。
【図５】実施例の装置の一部光学系を上方向から見たときの概略配置を示す図である。
【図６】被検者の顔面部への光の投射、照明範囲、及び反射光の受光を説明する図である。
【図７】位置検出素子によって検出された反射光の受光量と受光位置を説明する図である。
【図８】ＣＣＤによって検出された反射光の受光量と受光位置、及び閾値処理を説明する図である。
【図９】受光量を閾値処理したものを説明する図である。
【図１０】受光量を閾値処理したものを説明する図である。
【図１１】二次元ＣＣＤによるアライメントずれ検出を説明する図である。
【図１２ａ】被検者と装置との距離を検知するための閾値βを設定した場合の閾値処理を説明する図である。
【図１２ｂ】被検者と装置との距離を検知するための閾値γを設定した場合の閾値処理を説明する図である。
【図１２ｃ】被検者と装置との距離を検知するための閾値δを設定した場合の閾値処理を説明する図である。
【符号の説明】
１  アライメント指標投影光学系
１０ａ，１０ｂ  距離指標投影光学系
２０  指標検出・観察光学系
３０  レチクル投影光学系
４０  固視標投影光学系
５０  左右眼判別指標検出光学系
６０  左右眼判別指標投影光学系
１００  眼屈折力測定光学系
【図１】
0003636886.tif 000002
【図２】
0003636886.tif 000003
【図３】
0003636886.tif 000004
【図４】
0003636886.tif 000005
【図５】
0003636886.tif 000006
【図６】
0003636886.tif 000007
【図７】
0003636886.tif 000008
【図８】
0003636886.tif 000009
【図９】
0003636886.tif 000010
【図１０】
0003636886.tif 000011
【図１１】
0003636886.tif 000012
【図１２ａ】
0003636886.tif 000013
【図１２ｂ】
0003636886.tif 000014
【図１２ｃ】
0003636886.tif 000015